(57)【要約】【課題】  作業員が、建物内側から身を乗り出すことなく安全に施工することができ、建物外側に足場の設置を不要とし、施工に要する費用と時間及び労力を大幅に削減することができるようにする。【解決手段】  建物の外装用のパネルを嵌合保持するためのパネル用キャリア１であって、キャリア本体１０と、該キャリア本体１０の背面に固定したＺ型及びＬ型アングルピース２０，３０とを備え、これらＺ型及びＬ型アングルピース２０，３０は、横胴縁に固定される水平基板部２１，３１の一端側に、キャリア本体１０の背面１０Ａに固定される垂直基板部２２，３２を連成した構成とし、さらに、Ｚ型アングルピース２０の水平基板部２１の他端側には、横胴縁の背面に係止する垂下基板部２３を連成した構成としてある。【選択図】      図１
2006052564.tif 000002
【特許請求の範囲】
【請求項１】
建物の外装用のパネルを嵌合保持するためのパネル用キャリアであって、キャリア本体と、該キャリア本体の背面に固定したアングルピースとを備え、該アングルピースを、横胴縁に固定される水平基板部の一端側に、前記キャリア本体の背面に固定される垂直基板部を連成した構成としたことを特徴とするパネル用キャリア。
【請求項２】
前記アングルピースの水平基板部の他端側に、前記横胴縁の背面に係止する垂下基板部を連成したことを特徴とする請求項１記載のパネル用キャリア。
【請求項３】
前記アングルピースの垂直基板部に、ボルト挿通用の長孔を形成したことを特徴とする請求項１又は２記載のパネル用キャリア。
【請求項４】
前記キャリア本体が、複数の前記アングルピースを備え、これらアングルピースの少なくとも一つが前記垂下基板部を連成したものであることを特徴とする請求項１〜３いずれか記載のパネル用キャリア。
【請求項５】
建物内側から前記アングルピースの水平基板部を前記横胴縁に固定することを特徴とする請求項１〜４いずれか記載のパネル用キャリアを用いたパネルの施工方法。
【請求項６】
前記キャリア本体の背面にあらかじめ前記アングルピースの垂直基板部を固定し、建物内側から前記アングルピースの水平基板部を前記横胴縁に固定することを特徴とする請求項１〜４いずれか記載のパネル用キャリアを用いたパネルの施工方法。
【請求項７】
前記キャリア本体の背面にあらかじめ前記アングルピースの垂直基板部を固定し、建物内側から前記アングルピースの垂下基板部を前記横胴縁の背面に係止させた後、前記建物内側から前記アングルピースの水平基板部を前記横胴縁に固定することを特徴とする請求項２〜４いずれか記載のパネル用キャリアを用いたパネルの施工方法。
【発明の詳細な説明】
【技術分野】
【０００１】
本発明は、目隠し、日除け、フェンス等の用途に利用されるパネルを嵌合保持するためのパネル用キャリア（一般に「ストリンガー」とも呼ばれている）、及び該キャリアを用いたパネルの施工方法に関し、特に、作業員が、建物内側から身を乗り出すことなく安全に施工することができるパネル用キャリア、及び該キャリアを用いたパネルの施工方法に関する。
【背景技術】
【０００２】
図６は従来のパネル構造を示す斜視図であり、図７は上記従来のパネル構造を示す側面図である。これら図面において、従来のパネル構造は、横方向に所定間隔で立設された複数の縦柱１１０，１１０…に、複数の横胴縁１１１，１１１…をそれぞれ縦方向に所定間隔で架設するとともに、これら横胴縁１１１，１１１…に、複数のキャリア１１２，１１２…をそれぞれ横方向に所定間隔で架設し、各キャリア１１２に、複数のＣ型パネル１１３，１１３…をそれぞれ嵌合させた構成となっていた。
【０００３】
各Ｃ型パネル１１３は、その上下両側を曲折させた断面略Ｃ字型の長尺体である。一方、各キャリア１１２は、背面１１２Ａと両側面１１２Ｂ，１１２Ｃとからなる断面略コ字型の長尺体であり、各キャリア１１２の両側面１１２Ｂ，１１２Ｃには、各Ｃ型パネル１１３の断面Ｃ型に対応する形状の嵌合片部１１２ａ，１１２ａ…が縦方向に連続して形成してある。これら嵌合片部１１２ａ，１１２ａ…に各Ｃ型パネル１１３を嵌合させることにより、各Ｃ型パネル１１３を、縦方向に所定間隔で連続的に配列していた。
【０００４】
上述した従来のパネル構造は、例えば、建物の外装材として用いられ、屋上のクーリングタワーや自走式立体駐車場の目隠し用外装材がその代表的施工例といえる。
【特許文献１】特開平６−３３０６６０号公報
【発明の開示】
【発明が解決しようとする課題】
【０００５】
ところが、上述した従来のパネル構造では、建物の外側に図示しない足場を設置して、各キャリア１１２を、各横胴縁１１１に建物外側からテクスビス１１４（図７中の拡大図参照）により固定しなければならなかったので、建物外側に足場を設置するために多大な費用と時間及び労力を要するという問題があり、また、各キャリア１１２を、各横胴縁１１１に建物内側からテクスビス１１４により固定しようとすれば、作業者は、建物外側に身を乗り出して作業しなければならず、墜落の危険を伴うという問題があった。
【０００６】
詳述すると、従来は、パネル構造を施工する際に下地となる一般鋼材を、錆止め(下塗)してからペンキ塗装(仕上げ)する方式を採用していたので、塗装業者のための足場をそのまま利用して、上述した従来のパネル構造を建物外側から施工することができた。しかし、近年、下地となる一般鋼材にあらかじめ溶融亜鉛メッキを施す方式に移行しつつあるため、錆止めとペンキ塗装が不要となり、塗装業者用の足場が不要となった。このため、従来のパネル構造のような、各キャリア１１２を、各横胴縁１１１に建物外側からテクスビス１１４により固定する構成では、建物外側に該パネル構造施工のための足場をあらためて設置するか、作業員が建物内側から外側へ身を乗り出して固定作業をするしかなかった。
【０００７】
本発明は、上記問題点に鑑みてなされたものであり、作業員が、建物内側から身を乗り出すことなく安全に施工することができ、建物外側に足場の設置を不要とし、施工に要する費用と時間及び労力を大幅に削減することができるパネル用キャリア、及び該キャリアを用いたパネルの施工方法の提供を目的とする。
【課題を解決するための手段】
【０００８】
上記目的を達成するために、本発明のパネル用キャリアは、建物の外装用のパネルを嵌合保持するためのパネル用キャリアであって、キャリア本体と、該キャリア本体の背面に固定したアングルピースとを備え、該アングルピースを、横胴縁に固定される水平基板部の一端側に、前記キャリア本体の背面に固定される垂直基板部を連成した構成とした構成としてある。このような構成によれば、作業員が、建物内側から身を乗り出すことなく、前記アングルピースの水平基板部を横胴縁にビス止め等することが可能となり、本パネル用キャリアを建物内側から安全に施工することができる。これにより、建物外側にパネルを施工するに際して、建物外側に足場の設置が不要となり、施工に要する費用と時間及び労力を大幅に削減することができる。
【０００９】
好ましくは、前記アングルピースの水平基板部の他端側に、前記横胴縁の背面に係止する垂下基板部を連成した構成とする。このような構成によれば、前記アングルピースの垂下基板部を前記横胴縁の背面に係止させることにより、該アングルピースの垂直基板部に固定した前記キャリア本体を横胴縁に位置決めすることができ、その後の水平基板部と前記横胴縁の固定が容易となり、作業効率の向上を図ることができる。
【００１０】
好ましくは、前記アングルピースの垂直基板部に、ボルト挿通用の長孔を形成した構成とする。このような構成によれば、長尺部材である前記横胴縁に多少の撓みや変形、寸法誤差等が生じた場合でも、前記長孔の範囲内で前記アングルピースの垂直基板部とキャリア本体との固定位置を調整することができ、前記アングルピースの水平基板部を確実に前記横胴縁に固定することができる。
【００１１】
好ましくは、前記キャリア本体が、複数の前記アングルピースを備え、これらアングルピースの少なくとも一つが前記垂下基板部を連成したものである構成としてある。このような構成によれば、少なくとも一つの前記アングルピースの垂下基板部を前記横胴縁の背面に係止させることにより、該アングルピースの垂直基板部に固定した前記キャリア本体、及び該キャリア本体の背面に固定した他のアングルピースの水平基板部を横胴縁に位置決めすることができ、その後の複数の水平基板部と前記横胴縁の固定が容易となり、作業効率の向上を図ることができる。
【００１２】
上記目的を達成するために、本発明の第１のパネルの施工方法は、上記本発明のパネル用キャリアを用いたパネルの施工方法であって、建物内側から前記アングルピースの水平基板部を前記横胴縁に固定するようにしてある。このような方法によれば、作業員が、建物内側から身を乗り出すことなく、前記アングルピースの水平基板部を横胴縁にビス止め等することが可能となり、本パネル用キャリアを建物内側から安全に施工することができる。これにより、建物外側にパネルを施工するに際して、建物外側に足場の設置が不要となり、施工に要する費用と時間及び労力を大幅に削減することができる。
【００１３】
また、上記目的を達成するために、本発明の第２のパネルの施工方法は、上記本発明のパネル用キャリアを用いたパネルの施工方法であって、前記キャリア本体の背面にあらかじめ前記アングルピースの垂直基板部を固定し、建物内側から前記アングルピースの水平基板部を前記横胴縁に固定するようにしてある。このような方法によれば、前記キャリア本体の背面にあらかじめ前記アングルピースの垂直基板部を固定してあるので、建物内側から該アングルピースの水平基板部をビス止め等するだけで、本パネル用キャリアを安全且つ簡単に前記横胴縁に固定することができる。また、前記キャリア本体とアングルピースを一体として取り扱うことができ、特に、アングルピースを多数必要する場合は、現場でのパネル用キャリアの施工が一層容易となり、作業効率の向上を図ることができる。
【００１４】
上記目的を達成するために、本発明の第３のパネルの施工方法は、上記本発明のパネル用キャリアを用いたパネルの施工方法であって、パネル用キャリアを用いたパネルの施工方法は、前記キャリア本体の背面にあらかじめ前記アングルピースの垂直基板部を固定し、建物内側から前記アングルピースの垂下基板部を前記横胴縁の背面に係止させた後、前記建物内側から前記アングルピースの水平基板部を前記横胴縁に固定するようにしてある。このような方法によれば、前記アングルピースの垂下基板部を前記横胴縁の背面に係止させることにより、該アングルピースの垂直基板部に固定した前記キャリア本体を横胴縁に位置決めすることができ、その後の水平基板部と前記横胴縁の固定が容易となり、作業効率の向上を図ることができる。
【発明の効果】
【００１５】
本発明のパネル用キャリア、及び該キャリアを用いたパネルの施工方法によれば、作業員が、建物内側から身を乗り出すことなく安全に施工することができ、建物外側に足場の設置を不要とし、施工に要する費用と時間及び労力を大幅に削減することができる。
【発明を実施するための最良の形態】
【００１６】
以下、本発明のパネル用キャリア、及び該キャリアを用いたパネルの施工方法の実施形態について、図面を参照しつつ説明する。まず、本実施形態に係るパネル用キャリアについて、図１〜図３を参照しつつ説明する。
【００１７】
図１は本発明の一実施形態に係るパネル用キャリアを示す斜視図である。図２は上記パネル用キャリアを構成するＺ型アングルピースを示すものであり、同図（ａ）は平面図、同図（ｂ）は側面断面図、同図（ｃ）は背面図である。同じく図３は上記パネル用キャリアを構成するＬ型アングルピースを示すものであり、同図（ａ）は平面図、同図（ｂ）は側面断面図、同図（ｃ）は背面図である。
【００１８】
図１において、本実施形態のパネル用キャリア１は、該キャリア本体１０の背面１０Ａに、複数のＺ型アングルピース２０…及びＬ型アングルピース３０…（図１ではそれぞれ一つずつを図示）をほぼ等間隔で固定した構成としてある。
【００１９】
キャリア本体１０は、背面１０Ａと両側面１０Ｂ，１０Ｃとからなる断面略コ字型の長尺体であり、背面１０Ａには、Ｚ型及びＬ型アングルピース２０，３０をボルト止めするための図示しない貫通孔が所定間隔で形成してある。また、従来と同様に、キャリア本体１０の両側面１０Ｂ，１０Ｃには、Ｃ型パネル７０（図５参照）の断面Ｃ型に対応する形状の嵌合片部１１，１１…が縦方向に連続して形成してある。これら嵌合片部１１，１１…に各Ｃ型パネル７０を嵌合させることにより、各Ｃ型パネル７０を、縦方向に所定間隔で連続的に配列する構成としてある。
【００２０】
Ｚ型アングルピース（アングルピース）２０は、図２（ａ）に示すように、横胴縁５０（図５（ａ）参照）に固定される水平基板部２１の一端側に、キャリア本体１０の背面１０Ａに固定される垂直基板部２２を連成するとともに、他端側に、前記横胴縁５０の背面に係止する垂下基板部２３を連成した断面略Ｚ字型の部材である。
【００２１】
本実施形態では、Ｚ型アングルピース２０を構成する水平基板部２１を、前記横胴縁５０の上面とほぼ同じ寸法とし、ビス止めするための二つのビス孔２１ａ，２１ａを所定間隔で穿設してある。また、垂直基板部２２を、水平基板部２１の約１／２の寸法とし、その中央にボルトを挿通するための長孔２２ａが穿設してある。また、垂下基板部２３も水平基板部２１の約１／２の寸法とし、前記横胴縁５０の背面に十分係止することができる長さとしてある。
【００２２】
Ｌ型アングルピース（アングルピース）３０は、図２（ｂ）に示すように、前記横胴縁５０に固定される水平基板部３１の一端側に、キャリア本体１０の背面１０Ａに固定される垂直基板部３２のみを連成した断面略Ｌ字型の部材である。上述したＺ型アングルピース２０と同様に、水平基板部３１にはビス止め用のビス孔３１ａ，３１ａが穿設してあり、垂直基板部３２にはボルト挿通用の長孔３２ａが穿設してある。このようなＬ型アングルピース３０は、Ｚ型アングルピース２０と比較して、垂下基板部２３を有してない点、水平基板部３１が前記横胴縁５０の上面よりも短い点で相違する。
【００２３】
これらＺ型アングルピース２０とＬ型アングルピース３０の素材としては、十分な強度を有するとともに、加工が容易な金属を用いることができ、例えば、アルミ板又は鋼板を適用することができる。また、上記実施形態では、Ｚ型アングルピース２０とＬ型アングルピース３０の二種類をパネル用キャリア１の構成要素としたが、いずれか一種類のみを構成要素としてもよい。
【００２４】
次に、上記パネル用キャリアを用いたパネルの施工方法の実施形態について、図４及び図５を参照しつつ説明する。図４は本発明の一実施形態に係るパネル用キャリアを用いたパネルの施工方法を説明するためのパネル構造を示す側面図である。また、図５（ａ）は図４のＡ部拡大図、図５（ｂ）は図４のＢ部拡大図である。
［パネル用キャリアの組立］
これら図４において、本実施形態に用いるパネル用キャリアは、Ｚ型アングルピース２０を一つ、Ｌ型アングルピース３０を三つ用いた構成としてあり、まず、作業員は、キャリア本体１０の背面１０ＡにあらかじめＺ型アングルピース２０とＬ型アングルピース３０，３０，３０を固定して、パネル用キャリア１を組み立てる。
【００２５】
詳述すると、Ｚ型及びＬ型アングルピース２０，３０の各垂直基板部２２，３２にそれぞれ設けた長孔２２ａ，３２ａを、キャリア本体１０の背面１０Ａに所定間隔で穿設した前記貫通孔にそれぞれ重複させ、これら長孔２２ａ，３２ａ及び前記貫通孔にボルト６１，６１を挿通して、図示しないナットを締結することにより行う。前記ナットは通常のナットでも問題ないが、好ましくは、キャリア本体１０の背面１０Ａに穿設した前記貫通孔にポップナット又はターンナットを埋設すると、ボルト６１の締結作業がより容易となる。
【００２６】
このようにＺ型及びＬ型アングルピース２０，３０をボルト止めするのは、複数のキャリア本体１０、及びこれらに嵌合される複数のＣ型パネル７０を保持するのに十分な強度が必要だからである。
【００２７】
この組立工程では、ボルト６１，６１を緩く締結する仮固定に止め、その後、パネル用キャリア１を施工するときに、各Ｚ型及びＬ型アングルピース２０，３０が長孔２２ａ，３２ａに沿って移動することができるようにし、複数の横胴縁５０，５０…との位置合わせができるようにする。
【００２８】
なお、パネル用キャリア１は、施工現場で組み立ててもよいし、あらかじめ設備の整った作業場等で組み立てて施工現場に持ち込んでもよい。いずれにしても、パネル用キャリア１の組立作業は、作業員に安全な環境で行うことができる。
［パネル用キャリア及びパネルの施工］
図４に示す施工現場では、従来と同様に、建物外周の横方向に所定間隔で複数の縦柱４０，４０…が立設してあり、これら縦柱４０には、複数の前記横胴縁５０，５０…がそれぞれ縦方向に所定間隔で架設してある。
【００２９】
そこで、作業員は、建物内側において、上記のように組み立てたパネル用キャリア１を、横胴縁５０の外側にほぼ垂直に配置し、図５（ａ）に示すように、まず、Ｚ型アングルピース２０の水平基板部２１を対応する横胴縁５０の上面に載置する。これにより、該Ｚ型アングルピース２０の垂下基板部２３が横胴縁５０の背面に係止し、パネル用キャリア１が位置決めされる。これにより、図５（ｂ）に示すように、他のＬ型アングルピース３０，３０，３０もそれぞれが対応する各横胴縁５０に概ね位置合わせされる。
【００３０】
また、Ｚ型アングルピース２０の垂下基板部２３が横胴縁５０の背面に係止しているので、作業員がキャリア本体１０から手を離しても、パネル用キャリア１が脱落又は転倒することがなく、以後の作業が容易となる。
【００３１】
次いで、作業員は、建物内側において、Ｚ型及びＬ型アングルピース２０，３０をそれぞれ長孔２２ａ，３２ａに沿って移動させて、これらに対応する各横胴縁５０に位置合わせし、これらＺ型及びＬ型アングルピース２０，３０の各水平基板部２１，３１を、それぞれ二本のテクスビス６２，６２によって各横胴縁５０にビス止めする。
【００３２】
その後、作業員は、建物内側において、仮固定していたボルト６１，６１をさらに締結して、キャリア本体１０とＺ型及びＬ型アングルピース２０，３０を最終的に固定する。これにより、パネル用キャリア１の施工が完了する。
【００３３】
最後に、作業員は、建物内側において、複数のＣ型パネル７０，７０…を一枚ずつキャリア本体１０の外側にほぼ水平に配置し、該キャリア本体１０の両側面１０Ｂ，１０Ｃに形成した各嵌合片部１１に嵌合させる作業を繰り返し行う。これにより、各Ｃ型パネル７０が縦方向に所定間隔で連続的に配列され、Ｃ型パネル７０の施工が完了する。
【００３４】
以上説明したように、本実施形態に係るパネル用キャリア、及び該キャリアを用いたパネルの施工方法によれば、作業員は、建物内側から身を乗り出すことなく、Ｚ型及びＬ型アングルピース２０，３０の各水平基板部２１，３１を横胴縁５０にビス止め等することが可能となり、本パネル用キャリア１を建物内側から安全に施工することができる。これにより、建物外側にＣ型パネル７０を施工するに際して、建物外側に足場の設置が不要となり、施工に要する費用と時間及び労力を大幅に削減することができる。
【００３５】
また、Ｚ型アングルピース２０の垂下基板部２３を横胴縁５０の背面に係止させることにより、該Ｚ型アングルピース２０の垂直基板部２１に固定したキャリア本体１０を横胴縁５０に位置決めすることができ、その後の作業であるＺ型及びＬ型アングルピース２０，３０の各水平基板部２１，３１と横胴縁５０のビス止めが容易となり、作業効率の向上を図ることができる。
【００３６】
さらに、本実施形態のパネル用キャリア１によれば、長尺部材である横胴縁５０に多少の撓みや変形、寸法誤差等が生じた場合でも、Ｚ型及びＬ型アングルピース２０，３０の各垂直基板部２２，３２にそれぞれ設けた長孔２２ａ，３２ａの範囲内で、これらＺ型及びＬ型アングルピース２０，３０の各垂直基板部２２，３２とキャリア本体１０との固定位置を調整することができ、これらＺ型及びＬ型アングルピース２０，３０の各水平基板部２１，３１を確実に横胴縁５０に固定することができる。
【００３７】
またさらに、本実施形態の該キャリアを用いたパネルの施工方法によれば、キャリア本体１０の背面１０ＡにあらかじめＺ型及びＬ型アングルピース２０，３０の各垂直基板部２２，３２を固定してあるので、建物内側から該Ｚ型及びＬ型アングルピース２０，３０の水平基板部２１，３１をビス止め等するだけで、本パネル用キャリア１を安全且つ簡単に横胴縁５０に固定することができる。また、キャリア本体１０とＺ型及びＬ型アングルピース２０，３０を一体として取り扱うことができ、特に、Ｚ型及びＬ型アングルピース２０，３０を多数必要する場合は、現場でのパネル用キャリア１の施工が一層容易となり、作業効率の向上を図ることができる。
【００３８】
なお、本発明のパネル用キャリア、及び該キャリアを用いたパネルの施工方法は、上述した実施形態に限定されるものではない。例えば、上述した該キャリアを用いたパネルの施工方法の実施形態では、キャリア本体１０の背面１０ＡにあらかじめＺ型及びＬ型アングルピース２０，３０の各垂直基板部２２，３２を固定することとしたが、施工現場において、先に、Ｚ型及びＬ型アングルピース２０，３０の水平基板部２１，３１を横胴縁５０にビス止めした後に、該Ｚ型及びＬ型アングルピース２０，３０の垂直基板部２２，３２にキャリア本体１０をボルト止めする手順としてもよい。いずれ手順にしても、作業員が建物内側から身を乗り出すことなく、安全に作業することができる。
【図面の簡単な説明】
【００３９】
【図１】本発明の一実施形態に係るパネル用キャリアを示す斜視図である。
【図２】上記パネル用キャリアを構成するＺ型アングルピースを示すものであり、同図（ａ）は平面図、同図（ｂ）は側面断面図、同図（ｃ）は背面図である。
【図３】上記パネル用キャリアを構成するＬ型アングルピースを示すものであり、同図（ａ）は平面図、同図（ｂ）は側面断面図、同図（ｃ）は背面図である。
【図４】本発明の一実施形態に係るパネル用キャリアを用いたパネルの施工方法を説明するためのパネル構造を示す側面図である。
【図５】同図（ａ）は図４のＡ部拡大図、同図（ｂ）は図４のＢ部拡大図である。
【図６】従来のパネル構造を示す斜視図である。
【図７】上記従来のパネル構造を示す側面図である。
【符号の説明】
【００４０】
１  パネル用キャリア
１０  キャリア本体
２０  Ｌ型アングルピース（アングルピース）
２１  水平基板部
２１ａ  ビス孔
２２  垂直基板部
２２ａ  長孔
２３  垂下基板部
３０  Ｚ型アングルピース（アングルピース）
３１  水平基板部
３１ａ  ビス孔
３２  垂直基板部
３２ａ  長孔
４０  縦柱
５０  横胴縁
６１  ボルト
６２  ビス
７０  Ｃ型パネル（パネル）
【図１】
2006052564.tif 000003
【図２】
2006052564.tif 000004
【図３】
2006052564.tif 000005
【図４】
2006052564.tif 000006
【図５】
2006052564.tif 000007
【図６】
2006052564.tif 000008
【図７】
2006052564.tif 000009